(57)【要約】【課題】充電器に装着されて十分充電された二次電池の出力電圧を落とすことなく、低コストで各デバイスへ電力供給することができる携帯電話装置を提供する。【解決手段】ＣＰＵ２は、ＦＥＴスイッチ１１１をオン状態に設定後、２分経過した際の二次電池１１の電圧をＡ／Ｄコンバータ１１４を介して検出する（Ｓ１２〜Ｓ１４）。そして、十分に充電された二次電池１１が装着されている場合には（Ｓ１５）、ＣＰＵ２は、ＦＥＴスイッチ１１６をオン状態に設定する（Ｓ１６）。一方、二次電池１１が装着されていない場合には（Ｓ１５）、ＣＰＵ２は、二次電池１１が装着されていない旨の警告を液晶表示部７に表示する（Ｓ１７〜Ｓ１８）。また、二次電池１１が装着されていない場合や、二次電池１１が充電不足の場合には（Ｓ１５）、ＣＰＵ２は、ＦＥＴスイッチ１１６をオフ状態で維持する（Ｓ２０）。【選択図】図３
2008236472.tif 000002
【特許請求の範囲】
【請求項１】
電話機本体と、前記電話機本体内の二次電池に電力を供給する充電器とを備えた携帯電話装置において、
前記電話機本体は、
前記二次電池が装着されているか否かを検出する二次電池検出手段と、
前記二次電池の入出力部に接続されて、該入出力部から出力される電力を供給する状態又は供給しない状態に設定する過電圧保護手段と、
前記二次電池検出手段によって前記二次電池が装着されていると検出された場合には、前記過電圧保護手段を電力を供給する状態に設定するように制御する制御手段と、
を備えたことを特徴とする携帯電話装置。
【請求項２】
前記二次電池の入出力部の電圧を検出する電池電圧検出手段を備え、
前記二次電池検出手段は、起動時から所定時間経過後の前記電池電圧検出手段が検出した電圧に基づいて該二次電池が装着されているか否かを検出することを特徴とする請求項１に記載の携帯電話装置。
【請求項３】
前記二次電池検出手段によって前記二次電池が装着されていないと検出された場合には、警告を報知する報知手段を備えたことを特徴とする請求項１又は請求項２に記載の携帯電話装置。
【請求項４】
起動時に、前記過電圧保護手段を電力を供給しない状態に設定するように制御する初期化制御手段を備えたことを特徴とする請求項１乃至請求項３のいずれかに記載の携帯電話装置。
【請求項５】
電話機本体と、前記電話機本体内の二次電池に電力を供給する充電器とを備えた携帯電話装置において、
前記電話機本体は、
前記充電器から二次電池に供給される電力を供給する状態又は供給しない状態に設定する供給電力接続手段と、
前記二次電池の入出力部に接続されて、該入出力部から出力される電力を供給する状態又は供給しない状態に設定する過電圧保護手段と、
起動時から所定第１時間経過後に前記供給電力接続手段を電力を供給しない状態に設定するオフ設定手段と、
前記オフ設定手段によって前記供給電力接続手段が電力を供給しない状態に設定されてから所定第２時間経過後に、前記過電圧保護手段を電力を供給する状態に設定するように制御する制御手段と、
を備えたことを特徴とする携帯電話装置。
【請求項６】
起動時に、前記供給電力接続手段を電力を供給する状態に設定し、且つ、前記過電圧保護手段を電力を供給しない状態に設定するように制御する初期化制御手段を備えたことを特徴とする請求項５に記載の携帯電話装置。
【請求項７】
前記充電器からの電力供給の有・無を検出する充電器検出手段を備え、
前記充電器検出手段によって前記充電器からの電力供給が無いと検出された場合には、前記制御手段は、前記過電圧保護手段を電力を供給する状態に設定するように制御することを特徴とする請求項１乃至請求項６のいずれかに記載の携帯電話装置。
【請求項８】
前記過電圧保護手段は、ＦＥＴスイッチであることを特徴とする請求項１乃至請求項７のいずれかに記載の携帯電話装置。
【発明の詳細な説明】
【技術分野】
【０００１】
本発明は、電話機本体と、この電話機本体内の二次電池に電力を供給する充電器とを備えた携帯電話装置に関するものである。
【背景技術】
【０００２】
従来より、電話機本体と、この電話機本体内の二次電池に電力を供給する充電器とを備えた携帯電話装置が種々提案されている。
例えば、電話機本体が充電器に装着された状態で、機能キーが指定時間以上押下され、液晶画面のバックライトの光を照明として用いる照明モードへの移行要求がなされると、照明モードへ移行する旨のメッセージを液晶画面に表示する。そして、一定時間が経過すると、バックライトの発光量を増大させたり、液晶画面のコントラストを低く設定して、液晶画面を透過するバックライトの透過光量を増大させるように構成された携帯電話装置がある（例えば、特許文献１参照。）。
【特許文献１】特開２００６−２０８５９５号公報（段落（００２６）〜（００８３）、図１〜図６）
【発明の開示】
【発明が解決しようとする課題】
【０００３】
しかしながら、上述した特許文献１に記載される構成では、バックライトの発光量を増大させるために、バックライトを駆動するバックライト駆動回路に供給する電力を増大させると共に、過電圧が印加されないように過電圧保護をする必要があり、二次電池の出力電圧を昇圧する昇圧回路で行っている。この昇圧回路で過電圧保護を行う場合には、コストアップとなり、効率が悪いという問題がある。また、昇圧回路を介さずに、充電器の供給電力をツェナーダイオードを介して直接、各デバイスへ供給する方法が考えられるが、供給電力の電圧の安定性がない等の問題がある。
【０００４】
そこで、本発明は、上述した問題点を解決するためになされたものであり、充電器に装着されて十分充電された二次電池の出力電圧を落とすことなく、低コストで各デバイスへ電力供給することができる携帯電話装置を提供することを目的とする。また、電話機本体が、二次電池が装着されていない状態で充電器に装着された場合には、各デバイスへ過電圧が印加されないように過電圧保護をすることができる携帯電話装置を提供することを目的とする。
【課題を解決するための手段】
【０００５】
前記目的を達成するため請求項１に係る携帯電話装置は、電話機本体と、前記電話機本体内の二次電池に電力を供給する充電器とを備えた携帯電話装置において、前記電話機本体は、前記二次電池が装着されているか否かを検出する二次電池検出手段と、前記二次電池の入出力部に接続されて、該入出力部から出力される電力を供給する状態又は供給しない状態に設定する過電圧保護手段と、前記二次電池検出手段によって前記二次電池が装着されていると検出された場合には、前記過電圧保護手段を電力を供給する状態に設定するように制御する制御手段と、を備えたことを特徴とする。
【０００６】
また、請求項２に係る携帯電話装置は、請求項１に記載の携帯電話装置において、前記二次電池の入出力部の電圧を検出する電池電圧検出手段を備え、前記二次電池検出手段は、起動時から所定時間経過後の前記電池電圧検出手段が検出した電圧に基づいて該二次電池が装着されているか否かを検出することを特徴とする。
【０００７】
また、請求項３に係る携帯電話装置は、請求項１又は請求項２に記載の携帯電話装置において、前記二次電池検出手段によって前記二次電池が装着されていないと検出された場合には、警告を報知する報知手段を備えたことを特徴とする。
【０００８】
また、請求項４に係る携帯電話装置は、請求項１乃至請求項３のいずれかに記載の携帯電話装置において、起動時に、前記過電圧保護手段を電力を供給しない状態に設定するように制御する初期化制御手段を備えたことを特徴とする。
【０００９】
また、請求項５に係る携帯電話装置は、電話機本体と、前記電話機本体内の二次電池に電力を供給する充電器とを備えた携帯電話装置において、前記電話機本体は、前記充電器から二次電池に供給される電力を供給する状態又は供給しない状態に設定する供給電力接続手段と、前記二次電池の入出力部に接続されて、該入出力部から出力される電力を供給する状態又は供給しない状態に設定する過電圧保護手段と、起動時から所定第１時間経過後に前記供給電力接続手段を電力を供給しない状態に設定するオフ設定手段と、前記オフ設定手段によって前記供給電力接続手段が電力を供給しない状態に設定されてから所定第２時間経過後に、前記過電圧保護手段を電力を供給する状態に設定するように制御する制御手段と、を備えたことを特徴とする。
【００１０】
また、請求項６に係る携帯電話装置は、請求項５に記載の携帯電話装置において、起動時に、前記供給電力接続手段を電力を供給する状態に設定し、且つ、前記過電圧保護手段を電力を供給しない状態に設定するように制御する初期化制御手段を備えたことを特徴とする。
【００１１】
また、請求項７に係る携帯電話装置は、請求項１乃至請求項６のいずれかに記載の携帯電話装置において、前記充電器からの電力供給の有・無を検出する充電器検出手段を備え、前記充電器検出手段によって前記充電器からの電力供給が無いと検出された場合には、前記制御手段は、前記過電圧保護手段を電力を供給する状態に設定するように制御することを特徴とする。
【００１２】
更に、請求項８に係る携帯電話装置は、請求項１乃至請求項７のいずれかに記載の携帯電話装置において、前記過電圧保護手段は、ＦＥＴスイッチであることを特徴とする。
【発明の効果】
【００１３】
請求項１に係る携帯電話装置では、二次電池が装着されている場合には、過電圧保護手段が電力を供給する状態に設定されるため、充電器に装着されて十分充電された二次電池の出力電圧を落とすことなく、二次電池の入出力部から各デバイスへ安定して供給することができる。また、過電圧保護手段は、二次電池の入出力部から出力される電力を供給する状態又は供給しない状態に設定するだけでよいため、簡易な構成にすることができ製造コストの削減化を図ることができる。
【００１４】
また、請求項２に係る携帯電話装置では、起動時から所定時間経過した際の二次電池の電圧を検出するため、二次電池の装着の有・無を確実に検出することができる。また、十分充電できていない二次電池の検出も可能となり、過電圧保護手段を電力を供給しない状態に設定して、不十分な電圧を各デバイスへ供給することを防止することができる。
また、請求項３に係る携帯電話装置では、ユーザは、報知手段による警告によって、二次電池が装着されていないことを確実に確認することができる。
【００１５】
また、請求項４に係る携帯電話装置では、起動時に過電圧保護手段が電力を供給しない状態に設定されるため、二次電池が装着されていない場合においても、二次電池の入出力部から出力される電圧降下されない過電圧の電力が、各デバイスへ供給されるのを確実に防止することができる。
【００１６】
また、請求項５に係る携帯電話装置では、起動時から所定第１時間経過後に供給電力接続手段が電力を供給しない状態に設定され、その後、所定第２時間経過後に過電圧保護手段が電力を供給する状態に設定される。このため、二次電池が装着されていない場合には、電力が供給されないため、過電圧保護手段が電力を供給する状態に設定されず、再度、起動した際に、二次電池の入出力部から出力される電圧降下されない過電圧の電力が、各デバイスへ供給されるのを確実に防止することができる。一方、二次電池が装着されている場合には、過電圧保護手段が電力を供給する状態に設定されるため、充電器に装着されて十分充電された二次電池の出力電圧を落とすことなく、二次電池の入出力部から各デバイスへ安定して供給することができる。また、過電圧保護手段は、二次電池の入出力部から出力される電力を電力を供給する状態又は供給しない状態に設定するだけでよいため、簡易な構成にすることができ製造コストの削減化を図ることができる。
【００１７】
また、請求項６に係る携帯電話装置では、起動時に供給電力接続手段が電力を供給する状態に設定されるため、電話機本体が充電器に装着された場合には、二次電池に電力を確実に供給することができる。また、起動時に過電圧保護手段が電力を供給しない状態に設定されるため、二次電池が装着されていない場合においても、二次電池の入出力部から出力される電圧降下されない過電圧の電力が、各デバイスへ供給されるのを確実に防止することができる。
【００１８】
また、請求項７に係る携帯電話装置では、充電器からの電力供給が無いと検出された場合には、過電圧保護手段を電力を供給する状態に設定するため、電話機本体が充電器に装着されていない場合には、各デバイスへ二次電池の電力を確実に供給することができる。
【００１９】
更に、請求項８に係る携帯電話装置では、過電圧保護手段をＦＥＴ（field-effect transistor）スイッチで構成することにより、簡易な構成で電池電圧を低下させることなく、低コストで高効率に各デバイスへ電力供給することができる。
【発明を実施するための最良の形態】
【００２０】
以下、本発明に係る携帯電話装置をスキャナ機能や、プリンタ機能、ファクシミリ機能、電話機能などを統合した周知の複合機（ＭＦＰ）に具備されたコードレス電話機（子機）について具体化した実施例１及び実施例２に基づき図面を参照しつつ詳細に説明する。
【実施例１】
【００２１】
［携帯電話装置の構成］
先ず、実施例１に係る電話機１の概略構成について図１に基づき説明する。図１は実施例１に係る電話機１の構成ブロック図である。
図１に示すように、電話機１は、当該電話機１に搭載された各種デバイスを統括して制御するＣＰＵ２と、アンテナ３Ａを介して電波の送受信を行うＲＦモジュール３と、当該電話機１の外部から入力される音声を音声信号に変換するマイク４と、音声信号を音声に変換し、当該電話機１の外部へ出力するレシーバ５と、入力信号のダイナミックレンジの圧縮及び伸張を行うコンパンダ６とを備えている。
【００２２】
また、電話機１は、文字を表示する液晶表示部７と、当該電話機１を外部操作するための各種キーからなるキーボード８と、キーボード８における特定のキーを点灯する操作部ＬＥＤ９と、記憶内容を書換え可能な不揮発性メモリであるＥＥＰＲＯＭ１０とを備えている。
【００２３】
更に、電話機１は、当該電話機１に搭載された各種デバイスに電力を供給する二次電池１１を充電する電源部１２を備えている。また、この電源部１２は、後述のように、各デバイスに所定の定電圧Ｖ１（例えば、約３．３Ｖである。）と、充電された二次電池１１の入出力部の電圧Ｖ２（例えば、約３．８〜３．９Ｖである。）を供給する（図２参照）。例えば、電源部１２は、ＣＰＵ２やＥＥＰＲＯＭ１０等へ定電圧Ｖ１を供給し、ＲＦモジュール３や液晶表示部７等へ電圧Ｖ２を供給する。
また、電話機１は、電源部１２の出力電圧Ｖ１に応じて、ＣＰＵ２をリセットするリセット回路１３を備える。
【００２４】
ここで、より具体的には、ＣＰＵ２は、単なるＣＰＵとして構成されているのではなく、当該ＣＰＵ２にて実行すべき各種処理のプログラムを記憶するＲＯＭ（図示せず）や、各種処理を実行する際に記憶領域として用いるＲＡＭ（図示せず）、当該ＣＰＵ２と各種デバイスとを接続する入出力ポート（図示せず）、時間の計測を行うタイマ（図示せず）などを内蔵する。
【００２５】
また、ＲＦモジュール３は、ＣＰＵ２から入力される周波数設定データに基づいて、電波の送信周波数や受信周波数を設定し、コンパンダ６からの入力信号を電波に重畳して電話機１の外部へアンテナ３Ａを介して送信する一方、電話機１の外部からアンテナ３Ａを介して受信した電波に重畳された信号（音声信号やデータ信号）を抽出し、これら信号をコンパンダ６へ出力する。更に、受信した電波の強度を示す電波強度信号（ＲＳＳＩ信号）や、親機からの電波を受信した旨を示すキャリアセンス信号をＣＰＵ２へ出力する。
【００２６】
また、コンパンダ６は、ＣＰＵ２から入力される制御信号に基づいて、マイク４から入力される音声信号のダイナミックレンジを圧縮して、この音声信号をＲＦモジュール３へ出力する一方、ＲＦモジュール３から入力される音声信号のダイナミックレンジを伸張して、この音声信号をレシーバ５へ出力したり、ＲＦモジュール３から入力されるデータ信号をそのままのダイナミックレンジにてＣＰＵ２へ出力する。
【００２７】
また、キーボード８は、各種キーが押下されると、押下されたキーを示す押下信号をＣＰＵ２へ出力する。
また、操作部ＬＥＤ９は、ＣＰＵ２から入力される点灯信号に基づいて、キーボード８における特定のキーを点灯する。例えば、電話機１を外線に接続するために押下する外線キー（図示せず）や、電話機１を内線に接続するために押下する内線キー（図示せず）、電話機１と外線や内線との接続を解除（切断）するために押下する通話終了キー（図示せず）、電話機１の各種設定を行うために押下する機能キー（図示せず）等を点灯する。
【００２８】
また、ＥＥＰＲＯＭ１０は、電話機１の各種設定値を記憶する一方、ＣＰＵ２からの要求に応じて、各種設定値をＣＰＵ２へ出力したり、各種設定値の書き換えを行う。
また、電源部１２の二次電池１１は、電話機１に着脱自在に構成されている。そして、電源部１２は、電話機１が充電器２０に置かれると、電話機１の外部の商用電源に接続されたＡＣアダプタ２２のＡＣ／ＤＣ変換器２３と、充電器２０のレギュレータ２１とを介して、外部の商用電源（例えば、約ＡＣ１００Ｖである。）から所定電圧（例えば、約ＤＣ７〜８Ｖである。）の電力が供給される。
【００２９】
また、リセット回路１３は、電源部１２の出力電圧Ｖ１を検出し、出力電圧Ｖ１がＣＰＵ２の正常な動作が保証された最低電圧Ｖｌｏｗ（例えば、約ＤＣ３．０Ｖである。）を下回った場合に、ＣＰＵ２をリセットするリセット信号をＣＰＵ２へ出力する。
【００３０】
また、電源部１２は、図２に示すように構成されている。尚、図２は、電源部１２の構成ブロック図である。
図２に示すように、電源部１２には、ソース側が充電器２０のレギュレータ２１に接続された供給電力接続手段の一例としてのＦＥＴスイッチ１１１と、このＦＥＴスイッチ１１１のドレイン側にアノードが接続されてカソードが二次電池１１の入出力部に接続されたダイオード１１２とが設けられている。また、このＦＥＴスイッチ１１１のゲートには、充電制御部１１３が接続されている。この充電制御部１１３は、ＣＰＵ２の出力ポート１からの出力信号に従って、ＦＥＴスイッチ１１１をレギュレータ２１からの電力を流すオン状態にするＨｉｇｈ信号又はレギュレータ２１からの電力を遮断するオフ状態にするＬｏｗ信号をＦＥＴスイッチ１１１のゲートに出力する。
【００３１】
また、二次電池１１の入出力部には、電池電圧検出手段の一例としてのＡ／Ｄコンバータ１１４の入力部が接続され、該Ａ／Ｄコンバータ１１４の出力部は、ＣＰＵ２のＡ／Ｄ入力ポートに接続されている。このＡ／Ｄコンバータ１１４は、入力された電圧をデジタル値に変換して出力する回路で、ＣＰＵ２は、このＡ／Ｄコンバータ１１４の出力信号に基づいて二次電池１１の入出力部の電圧を検出する。
また、二次電池１１の入出力部には、レギュレータ等で構成される電源回路部１１５の入力部が接続され、二次電池１１の入出力部の電圧（例えば、二次電池１１の装着時には、約ＤＣ３．８〜３．９Ｖで、二次電池１１の非装着時には、約ＤＣ７〜８Ｖである。）を所定の電圧Ｖ１（例えば、約ＤＣ３．３Ｖである。）の定電圧でＣＰＵ２、ＥＥＰＲＯＭ１０、リセット回路１３等に出力している。
【００３２】
また、二次電池１１の入出力部には、過電圧保護手段の一例としてのＦＥＴスイッチ１１６のソース側が接続されている。また、このＦＥＴスイッチ１１６のドレイン側には、ＲＦモジュール３、液晶表示部７等が接続されている。また、このＦＥＴスイッチ１１６のゲートには、ＣＰＵ２の出力ポート２が接続されている。そして、ＦＥＴスイッチ１１６は、ＣＰＵ２の出力ポート２からＨｉｇｈ信号が入力された場合には、二次電池１１の入出力部からの電力を流すオン状態に設定され、ＣＰＵ２の出力ポート２からＬｏｗ信号が入力された場合には、二次電池１１の入出力部からの電力を遮断するオフ状態に設定される。
【００３３】
従って、このＦＥＴスイッチ１１６をオン状態に設定することによって、このＦＥＴスイッチ１１６のドレイン側に接続されているＲＦモジュール３、液晶表示部７等には、二次電池１１の入出力部の電圧を低下させることなく、高効率で電力を供給することができる。一方、ＦＥＴスイッチ１１６をオフ状態に設定することによって、このＦＥＴスイッチ１１６のドレイン側に接続されているＲＦモジュール３、液晶表示部７等への電力の供給を遮断することができる。
【００３４】
また、ＦＥＴスイッチ１１１のソース側には、充電検出部１１７の入力部が接続され、該充電検出部１１７の出力部は、ＣＰＵ２の入力ポート１に接続されている。この充電検出部１１７は、所定電圧（例えば、ＤＣ７〜８Ｖである。）が入力された場合には、Ｈｉｇｈ信号をＣＰＵ２へ出力し、所定電圧（例えば、ＤＣ７〜８Ｖである。）が入力されていない場合には、Ｌｏｗ信号をＣＰＵ２へ出力する。これにより、ＣＰＵ２は、電話機１が充電器２０に載置されたか否かを、入力ポート１に入力された信号に基づいて判断することができる。
【００３５】
［過電圧防止処理１］
次に、電話機１のＣＰＵ２が起動時に実行する処理であって、過電圧の電力がＦＥＴスイッチ１１６のドレイン側に接続されているＲＦモジュール３、液晶表示部７等の各デバイスへ供給されるのを防止する「過電圧防止処理１」について図３に基づいて説明する。図３は、過電圧の電力がＦＥＴスイッチ１１６のドレイン側に接続されているＲＦモジュール３等の各デバイスへ供給されるのを防止する「過電圧防止処理１」を示すフローチャートである。
【００３６】
図３に示すように、先ず、ステップ（以下、Ｓと略記する）１１において、ＣＰＵ２は、起動時に、入力ポート１にＨｉｇｈ信号が入力されているか否かを判定する判定処理を実行する。即ち、ＣＰＵ２は、電話機１が充電器２０に載置されて、レギュレータ２１から電源部１２のＦＥＴスイッチ１１１へ所定電圧（例えば、約ＤＣ７〜８Ｖである。）の電力が供給されているか否かを判定する判定処理を実行する。
尚、電話機１のＣＰＵ２の起動時及びリセット時には、出力ポート１からＨｉｇｈ信号が出力されてＦＥＴスイッチ１１１はオン状態に設定されている。また、電話機１のＣＰＵ２の起動時には、出力ポート２からＬｏｗ信号が出力されてＦＥＴスイッチ１１６はオフ状態に設定されている。
【００３７】
そして、入力ポート１にＨｉｇｈ信号が入力されている場合には（Ｓ１１：ＹＥＳ）、ＣＰＵ２は、Ｓ１２の処理に移行する。Ｓ１２において、ＣＰＵ２は、出力ポート１からＨｉｇｈ信号を出力し、充電制御部１１３にＨｉｇｈ信号が入力される。そして、この充電制御部１１３からＦＥＴスイッチ１１１のゲートへＨｉｇｈ信号が出力され、ＦＥＴスイッチ１１１がオン状態に設定される。これにより、レギュレータ２１から供給される電力が、ＦＥＴスイッチ１１１のドレイン側からダイオード１１２を介して二次電池１１の入出力部に供給され、二次電池１１の充電が開始される。
【００３８】
続いて、Ｓ１３において、ＣＰＵ２は、約２分間待機する。これにより、電話機１に二次電池１１が装着されている場合には、該二次電池１１は充電される。
そして、Ｓ１４において、ＣＰＵ２は、Ａ／Ｄ入力ポートの入力信号を読み込む。即ち、ＣＰＵ２は、Ａ／Ｄコンバータ１１４から出力される二次電池１１の入出力部の電圧を検出する。
その後、Ｓ１５において、ＣＰＵ２は、この二次電池１１の入出力部の電圧が所定電圧範囲内か否か（例えば、約ＤＣ３．０Ｖ以上乃至約ＤＣ４．０Ｖ以下の電圧範囲内か否かである。）を判定する。即ち、ＣＰＵ２は、装着された二次電池１１が、十分充電されているか否かを判定する。
【００３９】
そして、ＣＰＵ２は、二次電池１１の入出力部の電圧が所定電圧範囲内（例えば、約ＤＣ３．０Ｖ以上乃至約ＤＣ４．０Ｖ以下の電圧範囲内である。）の場合には、Ｓ１６の処理に移行する。Ｓ１６において、ＣＰＵ２は、出力ポート２からＦＥＴスイッチ１１６のゲートへＨｉｇｈ信号を出力して、即ち、ＦＥＴスイッチ１１６をオン状態に設定後、通常動作の処理を実行する。
【００４０】
これにより、二次電池１１の入出力部の電力がＦＥＴスイッチ１１６のドレイン側に接続されているＲＦモジュール３、液晶表示部７等の各デバイスへ供給される。従って、二次電池１１が十分充電された状態の場合には、レギュレータ等で構成される電源回路部１１５から出力される所定電圧Ｖ１（例えば、約ＤＣ３．３Ｖである。）よりも高い電圧Ｖ２（例えば、約ＤＣ３．８〜３．９Ｖである。）の電力がＦＥＴスイッチ１１６からＲＦモジュール３、液晶表示部７等の各デバイスへ供給される。このため、ＲＦモジュール３の送信・受信性能の向上を図ることができる。
【００４１】
また一方、Ｓ１１で入力ポート１にＬｏｗ信号が入力されている場合、即ち、電話機１が充電器２０に載置されていない場合には（Ｓ１１：ＮＯ）、ＣＰＵ２は、上記Ｓ１６の処理に移行する。これにより、ＣＰＵ２は、ＦＥＴスイッチ１１６をオン状態に設定するため、二次電池１１の入出力部の電力（例えば、約ＤＣ３．６Ｖの電力である。）が、ＦＥＴスイッチ１１６のドレイン側に接続されているＲＦモジュール３、液晶表示部７等の各デバイスへ供給される。
【００４２】
他方、Ｓ１５で、ＣＰＵ２は、二次電池１１の入出力部の電圧が所定電圧範囲内（例えば、約ＤＣ３．０Ｖ以上乃至約ＤＣ４．０Ｖ以下の電圧範囲内である。）でない場合には、Ｓ１７の処理に移行する。Ｓ１７において、ＣＰＵ２は、二次電池１１の入出力部の電圧が所定電圧範囲を超えているか否か（例えば、約ＤＣ４．０Ｖを超えているか否かである。）、即ち、二次電池１１が装着されていないか否かを判定する判定処理を実行する。
【００４３】
そして、二次電池１１の入出力部の電圧が所定電圧範囲を超えている場合（例えば、約ＤＣ４．０Ｖを超えている場合である。）、即ち、二次電池１１が装着されていない場合には（Ｓ１７：二次電池非装着）、ＣＰＵ２は、Ｓ１８の処理に移行する。Ｓ１８において、ＣＰＵ２は、液晶表示部７に二次電池１１が装着されていない旨を表示して、ユーザに警告する。例えば、ＣＰＵ２は、液晶表示部７に「充電池が取り付けられていません！」と表示する。
【００４４】
続いて、Ｓ１９において、ＣＰＵ２は、５秒間待機する。これにより、ユーザは液晶表示部７に表示された警告文を確認することが可能となる。
その後、Ｓ２０において、ＣＰＵ２は、ウォッチドッグタイマの動作を開始させてタイムアップさせて割込みを行い、リセット処理を実行する。これにより、ＣＰＵ２は、リセット割込によって再度、Ｓ１１以降の処理を実行することとなる。
【００４５】
また一方、Ｓ１７で二次電池１１の入出力部の電圧が所定電圧範囲より低い場合（例えば、約ＤＣ３．０Ｖ未満の場合である。）、即ち、二次電池１１が充電不足の場合には（Ｓ１７：充電不足）、ＣＰＵ２は、Ｓ２０の処理に移行する。これにより、ＣＰＵ２は、リセット割込によって再度、Ｓ１１以降の処理を実行することとなり、二次電池１１の充電が継続されることとなる。
【００４６】
［実施例１の効果］
以上詳細に説明した通り、実施例１に係る電話機１では、十分に充電された二次電池１１が装着されている場合には（Ｓ１５）、ＦＥＴスイッチ１１６がオン状態に設定される（Ｓ１６）。これにより、充電器２０に装着されて十分充電された二次電池１１の入出力部における電圧Ｖ２を低下させることなく、低コストで高効率にＲＦモジュール３、液晶表示部７等の各デバイスへ安定して電力を供給することができる。また、ＣＰＵ２は、ＦＥＴスイッチ１１６にＨｉｇｈ信号又はＬｏｗ信号を出力するだけでよいため、簡易な構成にすることができ製造コストの削減化を図ることができる。
【００４７】
また、ＣＰＵ２は、ＦＥＴスイッチ１１１をオン状態に設定後、２分経過した際の二次電池１１の電圧をＡ／Ｄコンバータ１１４を介して検出するため（Ｓ１２〜Ｓ１４）、二次電圧１１の装着の有・無を確実に検出することができる。そして、二次電池１１が装着されていない場合には、ＣＰＵ２は、ＦＥＴスイッチ１１６をオフ状態で維持するため（Ｓ１５：二次電池非装着〜Ｓ１７：二次電池非装着〜Ｓ２０）、二次電池１１の入出力部から出力される電圧降下されない過電圧の電力が、ＦＥＴスイッチ１１６のドレイン側に接続されるＲＦモジュール３等の各デバイスへ供給されるのを確実に防止することができる。
【００４８】
また、十分充電できていない二次電池の検出も可能となり（Ｓ１５：充電不足〜Ｓ１７：充電不足〜Ｓ２０）、ＣＰＵ２は、ＦＥＴスイッチ１１６をオフ状態に設定して、不十分な電圧をＲＦモジュール３、液晶表示部７等の各デバイスへ供給することを防止することができる。
また、二次電池１１が装着されていない場合には（Ｓ１７：二次電池非装着）、ＣＰＵ２は、二次電池１１が装着されていない旨の警告を液晶表示部７に表示するため（Ｓ１８）、ユーザは、二次電池１１が装着されていないことを確実に確認することができる。
【００４９】
また、起動時及びリセット時にＦＥＴスイッチ１１１はオン状態に設定されるため、電話機１が充電器２０に載置された場合には、二次電池１１に電力を確実に供給することができる。また、起動時及びリセット時にＦＥＴスイッチ１１６がオフ状態に設定されるため、二次電池１１が装着されていない場合においても、二次電池１１の入出力部から出力される電圧降下されない過電圧の電力が、ＲＦモジュール３等の各デバイスへ供給されるのを確実に防止することができる。
【００５０】
また、充電器２０からの電力供給が無い場合には（Ｓ１１：ＮＯ）、ＣＰＵ２は、ＦＥＴスイッチ１１６をオン状態に設定するため（Ｓ１６）、電話機１が充電器２０に載置されていない場合には、ＦＥＴスイッチ１１６のドレイン側に接続されるＲＦモジュール３等の各デバイスへ二次電池１１の電力を確実に供給することができる。
【実施例２】
【００５１】
次に、実施例２に係る電話機５０について図４に基づいて説明する。
尚、上記実施例１に係る電話機１と同一符号は、上記実施例１に係る電話機１と同一あるいは相当部分を示すものである。図４は、実施例２に係る電話機５０のＣＰＵ２が実行する過電圧の電力がＲＦモジュール３等の各デバイスへ供給されるのを防止する「過電圧防止処理２」を示すフローチャートである。
【００５２】
この実施例２に係る電話機５０の各全体構成は、実施例１に係る電話機１とほぼ同じ（Ａ／Ｄコンバータを備えていない）構成である。また、実施例２に係る電話機５０の制御構成及び制御処理は、実施例１に係る電話機１の制御構成及び制御処理と同じ制御処理である。
但し、電話機５０のＣＰＵ２は、起動時及びリセット時に上記「過電圧防止処理１」に替えて「過電圧防止処理２」を実行する点で実施例１に係る電話機１と異なっている。
【００５３】
［過電圧防止処理２］
ここで、実施例２に係る電話機５０のＣＰＵ２が実行する処理であって、過電圧の電力がＲＦモジュール３等の各デバイスへ供給されるのを防止する「過電圧防止処理２」について図４に基づいて説明する。
図４に示すように、ＣＰＵ２は、Ｓ１１１乃至Ｓ１１３において、上記Ｓ１１乃至Ｓ１３の処理を実行する。
尚、電話機５０のＣＰＵ２の起動時及びリセット時には、出力ポート１からＨｉｇｈ信号が出力されてＦＥＴスイッチ１１１はオン状態に設定されている。また、電話機５０のＣＰＵ２の起動時には、出力ポート２からＬｏｗ信号が出力されてＦＥＴスイッチ１１６はオフ状態に設定されている。
【００５４】
そして、Ｓ１１４において、ＣＰＵ２は、出力ポート１からＬｏｗ信号を出力し、充電制御部１１３にＬｏｗ信号が入力される。そして、この充電制御部１１３からＦＥＴスイッチ１１１のゲートへＬｏｗ信号が出力され、ＦＥＴスイッチ１１１がオフ状態に設定される。これにより、レギュレータ２１からの電力が遮断されて、二次電池１１の充電が停止される。
【００５５】
続いて、Ｓ１１５において、ＣＰＵ２は、約２秒間待機する。
このときに、二次電池１１が装着されていない場合や、二次電池１１が充電不足の場合には、ＦＥＴスイッチ１１１がオフ状態のため、電源回路部１１５の出力電圧Ｖ１が、ＣＰＵ２の正常な動作が保証された最低電圧Ｖｌｏｗ（例えば、約３．０Ｖである。）を下回ることとなる。このため、リセット回路１３は、ＣＰＵ２をリセットするリセット信号をＣＰＵ２へ出力する。これにより、ＣＰＵ２は、リセット割込が働き、再度Ｓ１１１以降の処理を実行することとなる。従って、二次電池１１が装着されていない場合や、二次電池１１が充電不足の場合には、ＦＥＴスイッチ１１６は、オフ状態に設定された状態で維持される。
【００５６】
一方、二次電池１１が装着されて、十分に充電されている場合には、ＦＥＴスイッチ１１１がオフ状態であっても、この二次電池１１から電源回路部１１５へ電力が供給される。そして、電源回路部１１５は、ＣＰＵ２の正常な動作が保証された最低電圧Ｖｌｏｗ（例えば、約ＤＣ３．０Ｖである。）以上の電力をリセット回路１３やＣＰＵ２等へ供給する。これにより、リセット回路１３はリセット信号を出力しないため、ＣＰＵ２は、Ｓ１１６以降の処理を実行することとなる。
【００５７】
Ｓ１１６において、ＣＰＵ２は、出力ポート１からＨｉｇｈ信号を出力し、充電制御部１１３にＨｉｇｈ信号が入力される。そして、この充電制御部１１３からＦＥＴスイッチ１１１のゲートへＨｉｇｈ信号が出力され、ＦＥＴスイッチ１１１がオン状態に設定される。これにより、レギュレータ２１から供給される電力が、ＦＥＴスイッチ１１１のドレイン側からダイオード１１２を介して二次電池１１の入出力部に供給され、二次電池１１の充電が再開される。
【００５８】
そして、Ｓ１１７において、ＣＰＵ２は、出力ポート２からＦＥＴスイッチ１１６のゲートへＨｉｇｈ信号を出力して、即ち、ＦＥＴスイッチ１１６をオン状態に設定後、通常動作の処理を実行する。
これにより、二次電池１１の入出力部の電力がＦＥＴスイッチ１１６のドレイン側に接続されているＲＦモジュール３、液晶表示部７等の各デバイスへ供給される。従って、二次電池１１が十分充電された状態の場合には、レギュレータ等で構成される電源回路部１１５から出力される所定電圧Ｖ１（例えば、約ＤＣ３．３Ｖである。）よりも高い電圧Ｖ２（例えば、約ＤＣ３．８〜３．９Ｖである。）の電力がＦＥＴスイッチ１１６からＲＦモジュール３、液晶表示部７等の各デバイスへ供給される。このため、ＲＦモジュール３の送信・受信性能の向上を図ることができる。
【００５９】
また一方、Ｓ１１１で入力ポート１にＬｏｗ信号が入力されている場合、即ち、電話機５０が充電器２０に載置されていない場合には（Ｓ１１１：ＮＯ）、ＣＰＵ２は、上記Ｓ１１７の処理に移行する。これにより、ＣＰＵ２は、ＦＥＴスイッチ１１６をオン状態に設定するため、二次電池１１の入出力部の電力（例えば、約ＤＣ３．６Ｖの電力である。）が、ＦＥＴスイッチ１１６のドレイン側に接続されているＲＦモジュール３、液晶表示部７等の各デバイスへ供給される。
【００６０】
［実施例２の効果］
以上詳細に説明した通り、実施例２に係る電話機５０では、ＣＰＵ２は、ＦＥＴスイッチ１１１を約２秒間、オフの状態に設定し、その後、ＦＥＴスイッチ１１１を再度、オン状態に設定する（Ｓ１１４〜Ｓ１１６）。これにより、二次電池１１が装着されていない場合や、二次電池１１が充電不足の場合には、電源回路部１１５からリセット回路１３やＣＰＵ２へ必要な電力が供給されないため、ＣＰＵ２にリセット割込が働き、ＦＥＴスイッチ１１６をオフ状態で維持することができる。これにより、再度、起動した際に、二次電池１１の入出力部から出力される電圧降下されない過電圧の電力が、ＦＥＴスイッチ１１６のドレイン側に接続されるＲＦモジュール３等の各デバイスへ供給されるのを確実に防止することができる。
【００６１】
一方、十分に充電された二次電池１１が装着されている場合には、ＦＥＴスイッチ１１６がオン状態に設定されるため、充電器２０に装着されて十分充電された二次電池１１の出力電圧Ｖ２を低下させることなく、低コストで高効率にＲＦモジュール３、液晶表示部７等の各デバイスへ安定して供給することができる。また、ＣＰＵ２は、ＦＥＴスイッチ１１６にＨｉｇｈ信号又はＬｏｗ信号を出力するだけでよいため、簡易な構成にすることができ製造コストの削減化を図ることができる。
また、Ａ／Ｄコンバータ１１４を介して二次電池１１の電圧を検出する必要がないため、このＡ／Ｄコンバータ１１４を削除して電源部１２の回路の小型化を図ることが可能となる。
【００６２】
また、起動時及びリセット時にＦＥＴスイッチ１１１はオン状態に設定されるため、電話機５０が充電器２０に載置された場合には、二次電池１１に電力を確実に供給することができる。また、起動時及びリセット時にＦＥＴスイッチ１１６がオフ状態に設定されるため、二次電池１１が装着されていない場合においても、二次電池１１の入出力部から出力される電圧降下されない過電圧の電力が、ＲＦモジュール３等の各デバイスへ供給されるのを確実に防止することができる。
【００６３】
また、充電器２０からの電力供給が無い場合には（Ｓ１１１：ＮＯ）、ＣＰＵ２は、ＦＥＴスイッチ１１６をオン状態に設定するため（Ｓ１１７）、電話機５０が充電器２０に載置されていない場合には、ＦＥＴスイッチ１１６のドレイン側に接続されるＲＦモジュール３等の各デバイスへ二次電池１１の電力を確実に供給することができる。
【００６４】
尚、本発明は前記実施例１及び実施例２に限定されることはなく、本発明の要旨を逸脱しない範囲内で種々の改良、変形が可能であることは勿論である。
【図面の簡単な説明】
【００６５】
【図１】実施例１に係る電話機の構成ブロック図である。
【図２】電源部の構成ブロック図である。
【図３】実施例１に係る電話機のＣＰＵが実行する処理である、過電圧の電力がＲＦモジュール等の各デバイスへ供給されるのを防止する「過電圧防止処理１」を示すフローチャートである。
【図４】実施例２に係る電話機のＣＰＵが実行する処理である、過電圧の電力がＲＦモジュール等の各デバイスへ供給されるのを防止する「過電圧防止処理２」を示すフローチャートである。
【符号の説明】
【００６６】
１、５０・・・電話機
２・・・ＣＰＵ
１１・・・二次電池
１２・・・電源部
１３・・・リセット回路
２０・・・充電器
２１・・・レギュレータ
１１１、１１６・・・ＦＥＴスイッチ
１１２・・・ダイオード
１１３・・・充電制御部
１１４・・・Ａ／Ｄコンバータ
１１５・・・電源回路部
１１７・・・充電検出部
【図１】
2008236472.tif 000003
【図２】
2008236472.tif 000004
【図３】
2008236472.tif 000005
【図４】
2008236472.tif 000006